(57)【要約】      （修正有）【課題】紙片や発泡ウレタンボールを含む様々な籤等を殻体内で良好に乱舞・周遊させることができ、かつ、堆積・滞留や張り付きといった問題もほとんど発生しないエアー抽選器を提供する。【解決手段】少なくとも一部が透明素材で構成された殻体と、該殻体に設けられた少なくとも一つの抽選穴７と、該殻体内部に設けられた抽選空間４と、該抽選空間底部に設けられた吹出口とを備えたエアー抽選器１であって、該吹出口は水平方向から垂直方向に向かって３０度乃至７５度の間の特定の角度に空気を吹出すことが可能とされているエアー抽選器とする。吹出口から吹き出す空気流の角度を定めるためは、吹出口に整流フィンを備える。殻体は略球形又は１２面以上の面を有する多面体とする。【選択図】図１
0003204172.tif 000002
【実用新案登録請求の範囲】
【請求項１】
少なくとも一部が透明素材で構成された殻体と、
該殻体に設けられた少なくとも一つの抽選穴と、
該殻体内部に設けられた抽選空間と、
該抽選空間底部に設けられた吹出口とを備えたエアー抽選器であって、
該吹出口は水平方向から垂直方向に向かって３０度乃至７５度の間の特定の角度に空気を吹出すことが可能とされている
ことを特徴とする、エアー抽選器。
【請求項２】
前記吹出口は水平方向から垂直方向に向かって４５度乃至６５度の間の特定の角度に空気を吹出すことが可能とされている
ことを特徴とする、請求項１に記載のエアー抽選器。
【請求項３】
前記吹出口は水平方向から垂直方向に向かって０度乃至９０度の間の任意の角度に空気を吹き出す角度を調整可能とされている、
ことを特徴とする、請求項１または請求項２に記載のエアー抽選器。
【請求項４】
前記吹出口には空気を吹出す角度を調整する整流フィンを取り付け可能とされ、該整流フィンは少なくとも水平方向に空気を吹出すもの及び水平方向から垂直方向に向かって６０度の角度に空気を吹出すものの２種類が取り付け可能とされている、
ことを特徴とする、請求項１または請求項２に記載のエアー抽選器。
【請求項５】
前記殻体は略球形または１２面以上の面を有する多面体とされている
ことを特徴とする、請求項１乃至請求項４のいずれかに記載のエアー抽選器。
【請求項６】
前記殻体は下半部と上半部に分離可能とされている
ことを特徴とする、請求項５に記載のエアー抽選器。
【考案の詳細な説明】
【技術分野】
【０００１】
本発明は、少なくとも一部が透明素材で構成された殻体の内部に多数の籤を収めて空気流で周遊・乱舞させ、利用者は殻体の外部から任意の籤を掴んで抽選を行えるようにした、エアー抽選器に関するものである。より詳しくは、従来より広く用いられている紙製の籤のみならず、発泡ウレタンボールのような立体的な籤を使用することも可能なエアー抽選器に関するものである。
【背景技術】
【０００２】
少なくとも一部が透明素材で構成された殻体の内部の抽選空間内に紙片などで構成された多数の籤を空気流で乱舞させ、利用者に殻体に設けた抽選穴から手を挿し入れて籤を掴みとらせる構成としたエアー抽選器は、従来から様々な催事で利用されている。催事の出し物としての抽選そのものの面白さのみならず、多数の籤が空気流で乱舞する様子が外部から視認され、視覚を通じて催事に華やかさを加えることができることも大きな理由である。また、視覚を通じて華やかな印象を与えるという性質から、催事の出し物のみならず、例えばゲームセンターのような遊戯施設などで多くの人の興味を惹きつけるためのツールとして活用される機会が増えている。
【０００３】
エアー抽選器の典型的な構成は、円筒形形状の殻体の底部中央から、抽選空間の上方に向かって強い空気流を吹き出すことで、紙片などで構成された籤を殻体の上部に向かって吹き上げる構成としたものである。噴き上げられた籤は、空気流からそれるか、あるいは抽選空間の天井部に衝突すると殻体の底部に向けて落下していき、これが再び空気流に乗って殻体の上方に向かって吹き上げられるということを繰り返す。利用者は、殻体壁面に設けられた抽選穴から手を差し入れて、宙を舞っている籤を掴みとることで抽選を行う。抽選穴には、典型的にはゴム等の柔軟な素材で構成されたシートに放射状に切り込みを設けた蓋体が設けられている。蓋体によって抽選穴がふさがれていることにより籤が意図せずに飛び出してしまうことが防止される一方、利用者は蓋体の放射状の切れ込みを容易に押し開きつつ手を差し入れることが可能とされているのである。また、殻体には殻体内部に吹出した空気を逃がすために、籤が通過できない程度の大きさの排気口が設けられていることが通常である。
【０００４】
上記のようなエアー抽選器では、空気流が通らない部分（空気の流れに「淀み」ができる箇所）、例えば円筒形形状の殻体の底部の周部（床面と壁面の境目付近）などに籤が堆積してしまったり、あるいは籤が殻体の隅などのごく限られた範囲（空気の流れに「二次渦」ができる箇所））の領域でしか動かなくなる滞留状態に陥ることがある。一度堆積状態や滞留状態に陥った籤はそのままでは再び舞い上げられることはなく、殻体内を舞う籤を掴みとるというエアー抽選器の機能を奏さないばかりか、外観上も好ましくない。また、籤は紙片で作られることが多いため、これがエアー抽選器から抜ける空気によって排気口に張り付いてしまう場合もあり、これも堆積・滞留と同様に課題であった。
【０００５】
このような課題を解決するために、例えば特開２００２−１６３６９７号公報には円筒形形状の殻体の下部から軸流ファンによって旋回流を発生して、単純に空気流を上方向に吹き出す場合と比較して籤の堆積・滞留を抑制することが可能なエアー抽選器が開示されている。これは、円筒形形状の殻体内で旋回流を発生させることで、空気流が殻体内のほぼ全域に存在する状態になるため、籤の堆積や滞留が抑制されるという効果が期待される発明である。しかし、旋回流を利用するため、殻体形状を円筒形以外の形状とすることが困難であり、殻体そのものを特徴ある形状として意匠性を高めるといった工夫が困難である。
【０００６】
また、特開１９９６−１１９２７４号公報には多面体形状の殻体の底部から内面にそって空気流を吹き出すことで、籤を殻体内で上方に噴き上げるのではなく、内面に沿って周遊させるように流す構成が開示されている。この構成によれば、空気流からそれた籤は多面体の内壁に沿って空気の吹き出し口付近に落下して再び空気流によって周遊するため堆積・滞留が発生しにくい。また、様々な殻体形状を採用できる可能性があるため、特徴ある意匠性の高いエアー抽選器を実現できる可能性がある点でも優れた発明である。
【０００７】
さらに、本考案の考案者自身による考案である図３に示すようなエアー抽選器も実用に供されている。このエアー抽選器では、球形の殻体（２）内の抽選空間（４）底部に設けられた吹出口（５）から、殻体（２）の接線方向（図の左方向）に空気流を吹き出している。このようにすることで先の発明と同様に、抽選空間の内面に沿って籤を周遊させるように流すことができ、籤の堆積・滞留が発生しにくい。なお、周遊してきた籤が吹出口（５）及びこれの付近の凹凸に衝突して籤が消耗することを防ぐため、抽選空間（４）の内面にシート体（１３）を設けるという工夫がなされている。このエアー抽選器も、堆積・滞留が発生しにくく、様々な殻体形状を採用できる可能性があり、また、籤の消耗も少ないなどの優れた特徴を備えるものである。
【０００８】
しかし、本考案の考案者は、上記説明したような従来のエアー抽選器にはなお課題があると考えた。すなわち、通常はエアー抽選器の殻体内を乱舞しやすいよう、籤を紙片にて構成される。紙片は軽く、また重さの割に表面積が広く風を受け易いので、空気流に乗って殻体内を輸送され易いからである。しかし、エアー抽選器は単なる抽選を行う手段としてのみ使用されるのではなく、周囲の人々の興味を惹きつけ、以って人々を周囲に引き寄せる意匠的な効果をも期待して使用されるのであるから、古典的な紙片から成る籤だけではなく、これとは異なる物体から成る籤をも使用可能として利用者の注目をさらに集められることが好ましい。例えば、さまざまな色に着色された発泡ウレタンボールなどをエアー抽選器の殻体内で乱舞させることができれば、視覚的にも従来と大きく異なり、多くの人々の興味を引き寄せることができるはずであり、さらには、発泡ウレタンボール等自体を景品にするなど、エアー抽選器の運用形態が広がることにもなる。以下、紙片や発泡ウレタンボール、その他のエアー抽選器の殻体内で乱舞させる物体を「籤等」というが、必ずしもこれら物体は抽選を目的にしたものでなくてもよい。例えば、これら物体そのものを景品とする場合を含めて、便宜上「籤等」と呼ぶことにしたものである。
【０００９】
さて、以下では典型的な例として、籤等に発泡ウレタンボールを使用した場合について説明する。発泡ウレタンボールとはスポンジのように非常に多くの気泡を含んだウレタン樹脂製の球体であり、球体というしっかりとした立体形状でありながら相当に軽量であるボールである。なお、発泡ウレタンボールに限らず、いわゆるスポンジのボールであっても、あるいはピンポン玉のようなものであっても同様の議論が成り立つことことは言うまでもなく、さらに、開閉可能な球殻の内部に軽量の景品を収納したものなどを籤等とすることも可能である。
【００１０】
円筒形形状の殻体下部から上部に向けて空気流を吹き出す方式のエアー抽選器では発泡ウレタンボールを全く吹き上げることができない。これは、発泡ウレタンボールは軽量な素材で構成されているものの、紙片のように軽く表面積が大きい籤等と比較すると遥かに重くかつ表面積も小さくなるため、風を非常に受けにくい。その為、これを吹き上げるには極めて強力な空気流が必要となり、通常のエアー抽選器に搭載可能な程度の性能のブロアモータで発生できる程度の空気流では到底吹き上げることができない為である。また、仮に極めて強力な空気流を発生させて発泡ウレタンボールを吹き上げられるようにしたとしても、そのような高速の空気流は大きな騒音（風切音）を不可避的に発生するため、現実の利用は困難である。
【００１１】
また、本願発明の発明者の研究によれば従来技術として説明した多面体形状又は球形状の殻体の底部から内面に沿って空気流を吹き出す方式のエアー抽選器によっても、発泡ウレタンボールはうまく抽選空間内を周遊しないことが判明した。これは、すでに説明したとおり、紙片と比較すると発泡ウレタンボールは遥かに重くかつ表面積が小さいために風を受けにくいことが理由の一つであることは自明である。
【００１２】
しかし、詳しく現象を分析すると、殻体の内面に沿って吹き出された空気流によって発泡ウレタンボールのような立体物を殻体内で周遊させることは本質的に困難であることが明らかになった。殻体の内面に沿って吹き出された空気流はいわゆる付着現象によって主に殻体の内面のごく近くを選択的に流れる。一方、発泡ウレタンボールは紙片と異なり立体的であるので、この空気流に発泡ウレタンボールの下部（殻体の内面との接点付近）のみが押されることになる。発泡ウレタンボールは紙片のように容易に殻体の内面から浮き上がることは無いので、殻体の内面との摩擦力によって容易には殻体内で周遊状態にならないのである。また、殻体内面に沿って流れる空気流によって発泡ウレタンボールが多少殻体内面に沿って押し上げられたとしても、空気流からそれるように転がってしまい、殻体の上部に輸送されること無く落下してしまう。この為、ほとんどの発泡ウレタンボールが殻体内を大きく周遊する状態にならず、殻体内の底付近を転がりまわるに留まってしまう。発泡ウレタンボールに限らず、立体的な籤等を使用する場合には、多かれ少なかれこのような課題を生じるのである。
【先行技術文献】
【特許文献】
【００１３】
【特許文献１】特開２００２−１６３６９７号公報
【特許文献２】特開１９９６−１１９２７４号公報
【考案の概要】
【考案が解決しようとする課題】
【００１４】
本考案が解決しようとする課題は、上記に説明した通り、紙片や発泡ウレタンボールを含む様々な籤等を殻体内で良好に乱舞・周遊させることができ、かつ、堆積・滞留や張り付きといった問題もほとんど発生しないエアー抽選器を提供することである。
【課題を解決するための手段】
【００１５】
（１）上記課題を解決するため、本発明においては、
少なくとも一部が透明素材で構成された殻体と、
該殻体に設けられた少なくとも一つの抽選穴と、
該殻体内部に設けられた抽選空間と、
該抽選空間底部に設けられた吹出口とを備えたエアー抽選器であって、
該吹出口は水平方向から垂直方向に向かって３０度乃至７５度の間の特定の角度に空気を吹出すことが可能とされている
ことを特徴とする、エアー抽選器としている。
【００１６】
殻体の少なくとも一部を透明素材で構成したので、利用者が殻体内部の抽選空間で周遊・乱舞する籤等を視認することができる。エアー抽選器は抽選空間が利用者から不可視である構成であったとしても、手探りで籤等を掴み取らせることが可能であるので、籤を引くという機能に限れば必ずしも殻体が透明素材で構成される必要は無い。しかし、本発明に掛かるエアー抽選器では、これまでのエア抽選機と異なり、紙片などからなる籤等のみならず発泡ウレタンボールのような立体的で重量のある籤等が抽選空間内を周遊・乱舞している特長的な様子が意匠的な効果を奏するのであるから、抽選空間が利用者から視認できるように殻体の少なくとも一部が透明素材で構成されていることは必須である。ここに透明素材とは、完全な無色透明の素材に限らず、有色透明や半透明の素材をも含むものである。要は利用者が外部から抽選空間を視認可能な程度に透明な素材であれば良い。具体的には、ガラスや適当な樹脂製とすればよいが、特に好ましくは透明度が高くて比較的大型の殻体を容易に作ることが可能なアクリル樹脂製の殻体とすると良い。
【００１７】
殻体には、利用者が手を差し入れて抽選空間を周遊・乱舞する籤等を掴み取れるように抽選穴を設ける。抽選穴は少なくとも１つは設けられていなければならないことは言うまでもない。好ましくは、抽選穴を殻体の高い位置及び低い位置の少なくとも２箇所以上に設けると良い。大人のような身長の高い利用者は高い位置の抽選穴から籤を掴み取ればよいが、これは子供のような身長の低い利用者には不便であるので、低い位置にも抽選穴を設けておくことが好ましいのである。また、抽選穴の大きさは大人が腕を差し入れることができる程度に設定すればよく、例えば、直径を１２０ｍｍ程度とすることができる。
【００１８】
また、抽選穴にはゴム等の柔軟な素材で構成されたシートに放射線状に切り込みを設けた蓋体を備えている。通常時は、蓋体の放射線状の切り込みが閉じた状態を保っており、これによって抽選穴から抽選空間で周遊・乱舞する籤等が勝手に飛び出してしまうことを防いでいる。また、利用者は蓋体の放射線状の切り込みを押し開きつつ抽選空間に手を差し入れて籤等を掴み取ることができ、利用者が抽選空間から手を抜くと、ゴム等の弾性で蓋体は直ちに閉じた状態に戻る。蓋体としては従来のエアー抽選器で用いられてきたものと同様のものを利用可能であり、例えば、排水口用の蓋として市販されているものを流用することも可能である。
【００１９】
抽選空間の底部には空気を吹き出す吹出口を備えており、ここから抽選空間内部に吹き出す空気流によって籤等が抽選空間内を周遊・乱舞する。なお、吹出口の下部にはいわゆるブロアモータ（遠心ファン）を備えており、これによって吹出口から吹き出す空気流を作り出している。空気流を発生する装置としては、ブロアモータに限らず、ファンモータ（軸流ファン）など様々な装置を利用することが可能である。しかし、本発明に係るエアー抽選器では比較的早い風速の空気流が得られることが好ましいため、静圧と最大風量のバランスからブロアモータを使用することが好ましい。
【００２０】
さて、吹出口は空気流を水平方向から垂直方向に向かって３０度乃至７５度の間の特定の角度に空気を吹き出すことが可能とされており、これは本考案の非常に重要な特徴である。これは、抽選空間が球形とした場合には、吹出口の設けられている位置の接線方向から３０度乃至７５度の間の特定の角度に空気を吹き出すということである。すでに説明したとおり、真上（９０度）方向に空気を吹き出しても、発泡ウレタンボールのような立体的で重量のある籤等を真上に吹き上げることはきわめて困難である。これができるほどの風速の空気流を発生するには極めて強力なブロアモータが必要で現実的なエアー抽選器の設計として成立し難い他、このような風速の空気流を発生させると騒音（風切音）などの問題が発生するからである。また、真横（０度）方向、すなわち、殻体の壁面に沿った方向に空気を吹きだしても発泡ウレタンボールのような立体的で重量のある籤等はうまく周遊・乱舞しないこともすでに説明したとおりである。なお、従来から使用されている紙片からなる籤等であれば、真上方向であっても真横方向であっても、乱舞・周遊状態が得られることがある。
【００２１】
ここで、吹出口から吹き出す空気流を３０度乃至７５度の間に設定すると、空気流は発泡ウレタンボールのような立体的な籤等の上部を押すことになる。これにより、籤等は空気流によって吹き上げられるのではなく、むしろ上部を押されて回転させられる状態となり、転がりつつ殻体の内壁を駆け上がるようになる。転がりであるので、籤等と殻体内面の間の摩擦は障害にならず、むしろ、転がる籤等が殻体の内壁を転がり上がる助けとなる。また、十分な速度で殻体の内面を転がり上がった籤等はやがて殻体の内面から離れて落下を始めるが、この際にもまっすぐに下方向に落下するのではなく、下方向から吹き上げる空気流の影響で、比較的緩やかな放物線を描いて落下していく。これによって、抽選空間内で華やかに籤等が乱舞する状態となる。また、空気流の流速が十分に早く、かつ、空気流の吹き出し角度が適切な範囲であれば、籤等が殻体の内壁から離れずに一周して吹出口に戻ってくるような動きをする場合がある。このような周遊状態も特有の華やかさがあり、本考案の企図する状態である。
【００２２】
なお、吹出口から吹き出す空気流の角度を前記範囲に設定するためには、吹き出し口に整流板を備えるとよい。整流板は、吹出口に角度を設けた板を平行に数枚設けたもので、吹き出し口から吹き出す空気流の方向を整流板の方向に調整することができる。また、吹き出し口に直接整流板を設けずに、整流板を設けたダクトキャップを吹き出し口に取り付けるようにしても良い。ダクトキャップとしては、例えばリング状の枠に整流板を備えた構造として、吹き出し口にはめ込んで使用するようにすれば良い。このようにすると数種類のダクトキャップを準備しておけば使用する籤等の種類に応じて適切な空気流の吹き出し角度を設定することが容易になる。
【００２３】
なお、前記のとおり、抽選空間に吹き出した空気流はいわゆる付着現象によって抽選空間内壁に吸い寄せられるように向きを変えて、吹出口からある程度は離れると自然に抽選空間内壁に沿って流れるようになる。従って、ここで定める空気流の向きとは、吹出口近傍の気流の向きを指したものである。
【００２４】
（２）上記課題を解決するため、本考案においては、
前記吹出口は水平方向から垂直方向に向かって４５度乃至６５度の間の特定の角度に空気を吹出すことが可能とされている
ことを特徴とする、（１）に記載のエアー抽選器としている。
【００２５】
前記のとおり、発泡ウレタンボール製のような立体的な籤等を良好に周回・乱舞させるには抽選空間底面の吹出口から空気流を垂直方向や水平方向ではなく、水平方向から垂直方向に向かって３０度乃至７５度の間の特定の角度にする必要があるが、さらに好ましくは水平方向から垂直方向に向かって４５度乃至６５度の間の特定の角度に空気を吹き出すと良い。この角度が大きい場合（垂直方向に近い角度）では籤等が比較的大型の場合には空気流がこれを転がすように当たるのだが、籤等が比較的小型の場合にはうまく籤等を転がす作用が得られない。逆に、この角度が小さい（水平方向に近い角度）では籤等が比較的小型の場合には良いが、比較的大型の場合にはうまく籤等を転がす作用が得られない。
【００２６】
一方で、本考案に係るエアー抽選器では籤等を利用者が手でつかみ取るのであるから、籤等の好ましい大きさは必然的に数ｃｍ程度乃至１０ｃｍ程度である。したがって、極端に小型または大型の籤等を使用するのでない限り、好ましい空気流の吹き出し方向はある程度の範囲に収まることになる。具体的には、水平方向から垂直方向に向かって４５度乃至６５度の間の特定の角度に空気流を吹き出すと良い。また、吹出口から吹き出す空気流の角度を前記範囲に設定する方法は先の例と同様とすることができる。
【００２７】
（３）上記課題を解決するため、本考案においては、
前記吹出口は水平方向から垂直方向に向かって０度乃至９０度の間の任意の角度に空気を吹き出す角度を調整可能とされている、
ことを特徴とする、（１）または（２）に記載のエアー抽選器としている。
【００２８】
すでに説明したとおり、発泡ウレタンボール製のような立体的な籤等を良好に周遊・乱舞させるには抽選空間底面の吹出口から空気流を垂直方向や水平方向ではなく、３０度乃至７５度の間の特定の角度で吹きだす必要があり、しかもこの角度は籤等の材質や形状、大きさによって最適な値が異なる。また、紙片からなる籤等の場合には、前記のような斜め方向に空気流を吹きだして籤等を周遊させるのではなく、垂直方向に空気流を吹きだして吹き上げた籤等を乱舞させることが好ましい場合もある。さらに、このような籤等、つまり、紙片から成る籤等の場合では水平方向に空気流を吹きだすことで抽選空間の内面に沿って美しい周遊を実現できる。これら様々な空気流の吹出角度を容易に実現するため、吹き出し角度の調整を可能としている。
【００２９】
具体的には、吹出口に空気流の吹き出し方向を変える整流板をヒンジで回動可能に取り付けることができる。なお、籤等の材質や形状、大きさを決めれば空気流を吹き出すべき方向も決まるため、空気流の吹き出し方向は頻繁に変更するものではない。この為、整流板の方向はエアー抽選器の設置者が手作業で調整可能であれば多くの場合十分である。また、単純に整流板をヒンジで取り付けると無段階で整流板の方向を調整することができ、将来に導入するものを含めた様々な籤等に対応可能となるという効果がある。
【００３０】
また、エアー抽選器の設置者があらかじめ使用する籤等の種類が数種類に限られている場合もある。例えば、従来から用いられてきた紙片からなる籤等と、紙片を折紙の要領で折って特定の形状となるようにした籤等、そして、発泡ウレタンボールである籤等の３種類のいずれかを選択的に使用するような場合である。この場合、それぞれの籤等に応じた整流板の方向に容易に調整できればエアー抽選器の設置者にとって使い勝手が向上する。そこで、それぞれの籤等に応じて整流板を設定すべき角度に目印となる表示を行なうことが好ましい。
【００３１】
数種類の籤等に応じて設定すべき整流板の角度を明示するとエアー抽選器の利用者の利便向上に効果があることはすでに説明したとおりであるが、整流板を角度表示の通りの角度に調整するには整流板を明瞭に視認できなければならない。しかし、空気流の吹き出し口は抽選空間の底部に設けられることが常であるので、ここに設けられた整流板を良好に視認することが容易でない場合もある。そこで、整流板が設定すべき角度に調整された際に停止する、または、手指にいわゆるクリック感が伝わることで整流板の角度を目視に頼らずに適切な角度に調整可能とすることが好ましい。
【００３２】
このような機能の実現には任意の定法を用いることができるが、具体例としては、吹き出し口に取り付ける整流板を数枚のフィンによって構成し、こららのフィンをお互いにリンクバーで接続することによって、どの一つのフィンを手指で操作して角度を変更しても、すべてのフィンが同じ方向に調整されるようにすればよい。また、フィンの一つの側面には凸部を設け、この凸部はフィンの回転軸と垂直に設けられた側壁部と摺動させる。側壁部には、整流板が設定されるべき角度である際に凸部が接触する位置に凹部を設ける。このようにすることで、整流板の角度を手指で変化させた際、適切な角度で凸部が凹部にはまり込むことになり、この位置で整流板が停止することとなり、また、この際に手指に特有のクリック感が感じられるので、整流板が適切な角度に設定されたことが分かるのである。
【００３３】
（４）上記課題を解決するため、本考案においては、
前記吹出口には空気を吹出す角度を調整する整流フィンを取り付け可能とされ、該整流フィンは少なくとも水平方向に空気を吹出すもの及び水平方向から垂直方向に向かって６０度の角度に空気を吹出すものの２種類が取り付け可能とされている、
ことを特徴とする、（１）または（２）に記載のエアー抽選器としている。
【００３４】
すでに説明したとおり、吹出口から空気流を吹き出す角度は籤等の種類によって最適値が異なる。しかし、紙片で構成された籤等であれば、ほぼ水平方向に空気流を吹き出すことで籤等を抽選空間の内面に沿って周遊させることができるし、あるいは、従来のエアー抽選器のように垂直方向に空気流を吹き出して抽選空間の天井部に向けて籤等を吹き上げ、これが乱舞しつつ抽選空間の底部に落下するようにすることができる。これらの場合の空気流の吹き出し角度は０度及び９０度である。ただし、９０度の場合には整流フィンを使用するまでもなく空気流が吹き出し口から垂直方向に吹き出すので、０度に対応した整流フィンを準備すればよい。また、紙片によって構成されるのではない籤等に典型的な発泡ウレタンボールからなる籤等の場合は、最適な空気流の吹き出し角度はおおむね６０度内外であることが本願考案者の研究によって判明している。
【００３５】
そこで、整流フィンを着脱自在とし、少なくとも交換可能な整流フィンとして空気流を水平方向から垂直方向に向かって０度、６０度の角度とするものを着脱可能とされているエアー抽選機とすると、前記典型的な籤等に容易に対応可能なエアー抽選機とすることができる。また、すでに説明したとおり、垂直方向に空気流を吹き出す場合には整流フィンを使用するまでもないのであるが、これに対応する整流フィンを用意しておくことを妨げるものではない。整流フィンが無ければ、吹き出し口は空気流を発生するエアーブロアにつながる穴になるが、ここに籤等が落ちてしまうことを避けるために隙間が狭いフィンは有効であるので、垂直方向に空気流を吹き出す場合であっても何らかの整流フィンのようなものを取り付けることには実益があるからである。
【００３６】
（５）上記課題を解決するため、本考案においては、
前記殻体は略球形または１２面以上の面を有する多面体とされている
ことを特徴とする、（１）〜（４）のいずれかに記載のエアー抽選器としている。
【００３７】
本考案に係るエアー抽選器では、従来の典型的なエアー抽選器のように真上に籤等を吹き上げるのみでなく、内面に沿ってって籤等を周遊させることがある。このため、抽選空間が円筒形のように抽選空間の底面と側壁が直角であると、この部分に周遊するべき籤等が滞留し易い。また、発泡ウレタンボールのような立体的な籤等を使用した場合は、空気流で回転させられた籤等が壁面の傾斜を転がり上がるようにして籤等が周遊するのであるが、抽選空間の底面と側壁が直角であると、ここを籤等が転がり上がることができないという不都合がある。
【００３８】
そこで、抽選空間は円柱形や角柱形のように底面と側壁が直角になる形状ではなく、底面から滑らかに立ち上がる形状で籤等が容易に転がり上がることができることが好ましい。例えば、抽選空間が略球形とされていれば、その内面はすべて滑らかに連続しており、籤等が転がり上がることの障害が全く発生しないので極めて好ましい。また、必ずしも抽選空間が球体ではなく多面体のような形状であっても、各面間の角度が鈍角であれば採用可能である。具体的にはほぼ正１２面体や正２０面体のような形状を選択することができる。これらの多面体であれば、各面間の角度が鈍角であり、籤等が転がり上がることができるからである。もちろん、本考案に係る殻体の形状はこれら正多面体に限られるものではなく、例えば切頂二十面体（いわゆるサッカーボールの形状）のものを含め、様々な形状の殻体を使用できることは言うまでもない。
【００３９】
なお、略球形とは、空気流の流れがスムーズで淀み点や二次渦の発生が少なく、従って堆積や滞留現象が発生しない程度に滑らかで丸い形状であることを意図しているので、当然ながら数学的に厳密な球体形状である必要は無い。従って、長軸と短軸の比が小さい回転楕円体なども含む概念であるが、あまりに長軸と短軸の比の大きい細長い形状は含まない。具体的には、長軸と短軸の比が１乃至１．５の範囲であるような回転楕円体に近似した形状は、本考案における略球形に含まれる。
【００４０】
また、殻体を１２以上の面を有する多面体とした場合には、特有の形状によって得られる面白さの意匠的効果によって利用者の関心を得ることができるという効果が考えられるほか、エアー抽選器の生産コストの点で有利な場合がある。すなわち、抽選空間が略球形とされた（１）では、殻体を製造するには大型の金型が必要になるので生産コストが高価になる場合がある。市場に流通している規格寸法の球殻を利用して殻体を構成すればこの限りではないが、抽選空間の大きさを自由に設計することはできなくなってしまう。これに対して、多面体形状の抽選空間であれば、その殻体は市場に安価に流通している平面部材から切り出した多角形を組み合わせて構成することができるので、自由な寸法のものを比較的安価に実現することができるのである。
【００４１】
（６）上記課題を解決するため、本考案においては、
前記殻体は下半部と上半部に分離可能とされている
ことを特徴とする、（５）に記載のエアー抽選器としている。
【００４２】
抽選空間を球体や多面体形状とした場合、抽選空間の内径を大きくしても籤等の堆積・滞留が発生しにくい一方で、抽選空間の底部中央部に設けられた空気吹出口に手が届きにくなり、空気の吹き出し角度の調整が行ないにくくなることがある。また、籤等を入れ替えたりする際にも抽選空間に残った籤等を取り除くといった作業が行ないにくいという課題を生じる。そこで、本考案に係るエアー抽選器では、球体や多面体形状の抽選空間を備える殻体をほぼ中央部から上下に分離可能であることを特徴としている。このようにすると、ほぼ殻体の最大断面積の部分が大きく開放され、空気吹出口の空気の吹き出し角度の調整や籤等の入れ替えなどの作業をすこぶる容易に行うことができるという効果が得られる。
【００４３】
また、殻体の下半部と上半部は、互いに接する部分を嵌め合い構造とする、または、一方に位置決め穴を設け、他方に位置決めピンを設けるなどして、常に正しい状態に組み立てられるようにすることができる。このようにすれば、正しい状態以外では組み立て不可能であるから、誰が組み立てを行なっても迷い無く正しい状態にエアー抽選器を組み立てられるという利点がある。
【００４４】
一方で、エアー抽選器のメンテナンスをする場合、例えば、籤等を補充したり交換したりする際や、吹き出し口の整流板を交換したり調整したりする際に、殻体の上半部を取り外してこれを行なえば良いことは言うまでもないが、実際には上半部と下半部をずらして少し隙間を作れば十分なことも多い（鍋に蓋をずらせておいたような状態である）。現場の運用ではこのような作業がしばしば発生するので、本考案に掛かるエアー抽選器では、殻体の下半部と上半部の接部に鍔を設けて下半部の鍔に上半部の鍔を重ね合わせたような構造とすることも好ましい形態の一つである。このようにすることで、下半部と上半部を比較的自由に重ね合わせることができ、前記のような隙間を作った作業が行い易いほか、下半部と上半部の接続部が線状ではなく面状となって強度が確保されるために、組立作業時に殻体に欠けや割れが発生するような危険も軽減される。
【００４５】
なお、下半部と上半部のそれぞれに鍔を設けて、これを重ね合わせることで殻体を完成する構成では、適切な方法で下半部と上半部を固定しなければこれらの間で容易にすべりが発生してしまって都合が悪い。例えば、抽選者が抽選を行なおうと抽選穴から手を差し入れた際に殻体の上半部を押してしまったような場合には、これが落下するなどの危険がある。そこで、下半部と上半部を固定する手段を設ける必要があるが、これには任意の定法を用いることができる。具体的には、下半部と上半部の鍔を貫通する穴を設けてこれを螺子止めすることができる。この場合、螺子はいわゆる蝶螺子のように工具を用いずに手だけで締め付けられる螺子を用いると、エアー抽選器の設置者の負担が減るので好ましい。
【００４６】
また、下半部と上半部の固定は、あくまでもこれらの間ですべりが生じない程度に固定することができればよいので、下半部と上半部の鍔を貫通する穴に紐を通して縛り付けることによって固定しても良い。この際、紐を都度縛るのではなく、自由な長さで紐の結び目の長さを調整できるアジャスターを用いることが特に好ましい。アジャスターを用いると、紐を都度くくる手間が軽減されることはもちろんであるが、任意の長さの結び目を作ることが極めて容易であり、このようにゆるくくくった状態とすることで、前記のように下半部と上半部をずらせてエアー抽選器のメンテナンスを行う際に誤って上半部を落下させてしまうという事故を防止できるという効果を奏する。
【考案の効果】
【００４７】
（１）本考案に係るエアー抽選器では、抽選空間の底部に吹出口を設けて、該吹出口が水平方向から垂直方向に向かって３０度乃至７５度の間の特定に角度に空気を吹き出すことが可能とされているので、紙片からなる籤体のみならず、発泡ウレタンボールのような立体的な籤等をも抽選空間内で周遊させることが可能となるという効果がある。これにより、立体物が籤等として抽選空間を周遊することを通じて視覚を通じた意匠的な効果により、多くの人の注目を集めることができる。
【００４８】
（２）本考案に係るエアー抽選器では、吹出口から水平方向から垂直方向に向かって４５度乃至６５度の間の特定の角度に空気を吹き出すことが可能とされているので、立体的な籤体をより確実に抽選空間内で周遊させることができるようになるという効果が得られる。
【００４９】
（３）本考案に係るエアー抽選器では、吹出口から吹き出す空気の角度を水平方向から垂直方向に向かって０度乃至９０度の間の任意の角度に調整可能としたので、従来からよく使用されてきた紙片からなる籤体や立体的な籤体など様々な籤体に対応可能なエアー抽選機とすることができるという効果が得られる。また、吹き出す空気の角度をほぼ垂直方向に設定すると従来のエアー抽選器と同様の状態を実現できるなど、抽選空間内での籤体の動きを周遊状態や乱舞状態などの間で変化させ、これによってバリエーションのある意匠的効果を得ることができるという効果がが得られる。
【００５０】
また、吹き出し口に整流板を備え、整流板の角度を手動で調整する構成としたので、簡単かつ安価な構成で前記の効果が得られるエアー抽選器を実現することができる。さらに、籤等の種類に応じて適切な角度で空気を吹き出せる整流板の角度を表示したので、エアー抽選器の設置者が試行錯誤に頼ることなく適切な空気の吹き出し角度に設定可能になるという効果が得られる。また、整流板が設定すべき角度に調整された際に停止する、または、手指にいわゆるクリック感が伝わるようにしたので、整流板を良好に目視しにくい状態であっても簡単に適切な空気の吹き出し角度に設定可能になるという効果が得られる。
【００５１】
（４）本考案に係るエアー抽選器では、空気を吹き出す角度を調整する整流フィンを取り付け可能とし、整流フィンとしては少なくとも水平方向に空気を吹き出すものと水平方向から垂直方向に向かって６０度の角度に空気を吹き出すものの２種類を取り付け可能としたので、整流フィンを交換することで簡単に籤体の種類に応じた空気の吹き出し角度に設定することが可能になるという効果が得られる。
【００５２】
（５）本考案に係るエアー抽選器では、殻体を略球形または１２以上の面を有する多面体としたので、抽選空間の内面に角が無く滑らか、または、各面間の角度が鈍角であって、立体的な籤等が転がりあがり易く、良好な周遊状態を実現できるという効果がある。
【００５３】
（６）本考案に係るエアー抽選器では、殻体が下半部と上半部に分離可能とされているので、抽選空間の籤等の交換や空気吹出口の空気の吹出し角度の調整などの作業をきわめて容易に行なうことができるという効果がある。
【００５４】
また、殻体の下半分と上半分を嵌めあい構造とする、または、対応する下半分と上半分の対応する位置に位置決めピンと位置決め穴を設けたので、誰が組立を行っても正しい状態にエアー抽選器を組む立てられるという効果がある。
【００５５】
さらに、殻体の下半分と上半分が接する部分にそれぞれ鍔を設けたので、殻体の下半分の上に、殻体の上半分を隙間を作って重ね合わせた状態とし、この状態で籤等のメンテナンスを容易に行い得るという効果がある。また、鍔部を貫通する穴を設けてここにアジャスターを備えた紐を備えることで殻体の下半分と上半分を固定したので、これらの組み立て・分解が頗る容易であるのみならず、殻体の上半分を隙間を作って重ね合わせた状態でのメンテナンス時に殻体の上半分が落下するという事故を防止できるという効果をも奏する。
【図面の簡単な説明】
【００５６】
【図１】本考案に係るエアー抽選器を側面から見た様子を示す説明図である。
【図２】本考案に係るエアー抽選器の構造を側面から観察できるように切断した状態を示す説明図である。
【図３】従来のエアー抽選器の例の構造を側面から観察できるように切断した状態を示す説明図である。
【考案を実施するための形態】
【００５７】
以下、図面を用いて本考案の実施例について説明する。
【実施例１】
【００５８】
図１は本考案に係るエアー抽選器を側面から見た様子を示す説明図であり、図２はこの内部構造を明示するために、内部の様子が観察できるように切断した状態を示す説明図である。
【００５９】
本考案に係るエアー抽選器（１）は、大まかには抽選空間（４）を内部に設けた含む殻体（２）とこれを支持する基礎体（３）からなっている。抽選空間（４）を含む殻体（２）は透明なアクリル樹脂で構成しており、これは上半部（２ａ）と下半部（２ｂ）に分割可能とされている。上半部（２ａ）と下半部（２ｂ）は、それぞれが備える鍔（１０）を対向させて重ね合わせており、これによって全体として略球形の殻体（２）を構成されている。上半部（２ａ）と下半部（２ｂ）の備える鍔（１０）は数箇所に貫通穴が備えられており、この貫通穴に紐（１１）を通して緊縛することによって上半部（２ａ）と下半部（２ｂ）を固定している。これによって、上半部（２ａ）が下半部（２ｂ）から滑り落ちてしまうことを防止できることは言うまでもないが、加えて、余裕を持って緊縛することにより、上半部（２ａ）を下半部（２ｂ）からずらせて重ね合わせた状態として隙間から抽選空間（４）のメンテナンス（例えば籤等の補充）を行う際に上半分（２ａ）の落下を防ぐというような柔軟な運用を行えるという利点がある。なお、紐（１１）を手作業で縛り付けることもできるが、紐を使った緊縛作業はある程度の時間を要するものであり、また、抽選空間（４）のメンテナンスの度に発生する作業でもあるので、簡単にすばやく緊縛したり緩めたりできるよう、紐（１１）をアジャスター（１２）によって固定するようにしている。アジャスター（１２）は、かばんその他の備える紐の長さを調整したり、紐を締め付けた状態で固定する際に広く利用されている市販品を利用することができる。
【００６０】
抽選空間（４）の底部付近には、吹出口（５）を設けている。吹出口（５）は、球殻に設けた穴に、水平方向から垂直方向にむかって６０度の角度の整流板を備えたダクトキャップをはめ込んだ構成としている。これにより、吹出口（５）から吹き出す空気流は、水平方向から垂直方向に向かって約６０度の角度となる。ところで、固体壁面（この場合は抽選空間（４）を取り囲む殻体（２）の内面）付近を流れる空気流は、固体壁面付近を沿うように流れようとする性質（いわゆる付着現象）があるため、吹出口（５）から吹き出した空気流は、その後、殻体（２）内面に沿って流れていくことになる。この為、吹出口（５）から吹き出す空気流の角度とは、あくまでも、吹出口（５）近傍での空気流の方向を示しているものである。
【００６１】
吹出口（５）は基礎体（３）の内部に設けたエアーホース（８）によってブロアモーター（９）と接続されている。これにより、ブロアモーター（９）で発生された空気流が吹出口（５）から吹き出すことになる。
【００６２】
抽選空間（４）の内面の殻体（２）には、抽選穴（７）を設けている。抽選穴（７）は、殻体（２）に直径１２０ｍｍ程度の穴をあけ、ここにゴム板に放射状に切り込みを設けた蓋体を取り付けたものである。通常時はゴム板の弾性で蓋体の放射線状の切り込みは閉じた状態を保っており、抽選穴か（８）から籤が飛び出す事故を防いでいる。利用者は蓋体の放射線状の切込みを押し開きつつ抽選空間に手を差し入れて籤を掴み取る。ところで、吹出口（５）が吹き出す空気流は、おおむね抽選空間（４）内面をぐるりと一周して吹出口（５）付近に戻る経路を通り、籤等もこの空気流に乗って周遊する。この為、吹出口（５）から吹き出す空気流が通過する円周上（吹出口を南極とした場合に吹出口の向きを通る緯線に相当するもの）には抽選穴（７）を設けないようにしている。籤等が周遊する経路に抽選穴（７）があると、ここから籤等が飛び出してしまうという事故を発生しかねず、また、抽選穴（７）やその付近の凹凸に籤等が繰り返し接触することで、籤等が消耗してしまうからである。
【００６３】
抽選空間（４）の頂上部に当たる位置の殻体（２）には、排気口（６）排気口（６）が設けられている。排気口（６）は小径の穴を多数設けることで、吹出口（５）から抽選空間（４）内に吹き出した空気流が最終的に外部に排気されるようにしたものであり、これら小径の穴から籤が飛び出すことはあり得ない。また、籤等を発泡ウレタンボールのような立体的なものとした場合には、その表面積に対して重量が大きいため、排気口（６）に籤等が張り付くことも発生し得ない。空気流に押され、周遊してきた籤等は、その慣性によって排気口（６）を通過してそのまま抽選空間（４）の内面に沿って周遊を続けるのである。
【００６４】
なお、籤等として紙片等からなる軽くて表面積の大きいものを使用する場合には、排気口（６）にこれら籤等が張り付いてしまう場合が起りえる。このような場合には、排気口（６）の位置を籤等が周遊する経路上にある殻体（２ｚ）の頂上部に設けるのではなく、先に説明した抽選穴（７）を設ける位置の場合と同様に、空気流の通過しない、例えば、図の手前又は奥の面の部分などに設けるとよい。つまり、排気口（６）の位置は殻体（２）の頂上部に限られない。
【００６５】
ところで、殻体（２）は少なくともその一部を透明素材で構成し、利用者が抽選空間（４）を周遊する籤を視認可能としなければならないが、基礎体（３）は殻体（２）を支持するとともに、空気導入口（１１）と吹出口（５）を接続するエアーホース（１０）などの部品を覆い隠して美観を維持する必要があるので、通常は不透明で丈夫な材料で構成する。具体的には、金属板や木材で構成し必要に応じて美しく塗装すればよい。
【産業上の利用可能性】
【００６６】
以上のように、本考案は紙片や発泡ウレタンボールを含む様々な籤体を殻体内で良好に乱舞・周遊させることができ、かつ、堆積・滞留や張り付きといった問題もほとんど発生しない優れたエアー抽選器を提供するものであり、産業上の利用価値はすこぶる高い。
【符号の説明】
【００６７】
１              エアー抽選器
２              殻体
２ａ            殻体の上半部
２ｂ            殻体の下半部
３              基礎体
４              抽選空間
５              吹出口
６              排気口
７              抽選穴
８              エアーホース
９              ブロアモーター
１０            鍔
１１            紐
１２            アジャスター
１３            シート体
【図１】
0003204172.tif 000003
【図２】
0003204172.tif 000004
【図３】
0003204172.tif 000005